(57)【要約】【課題】広告の効果を高めること。【解決手段】本願に係る配信装置は、受信部と、抽出部と、配信部とを有する。受信部は、広告コンテンツを表示する表示装置から発信した音声を収音した端末装置から、かかる音声を識別する音声情報を受信する。抽出部は、受信部によって受信された音声情報に基づいて、広告コンテンツに関連する関連コンテンツを抽出する。配信部は、抽出部によって抽出された関連コンテンツを端末装置に配信する。【選択図】図５
2015005069.tif 000002
【特許請求の範囲】
【請求項１】
コンテンツを表示する表示装置から発信した音声を収音した端末装置から、当該音声を識別する音声情報を受信する受信手段と、
前記受信手段によって受信された音声情報に基づいて、前記コンテンツに関連する関連コンテンツを抽出する抽出手段と、
前記抽出手段によって抽出された関連コンテンツを前記端末装置に配信する配信手段と
を備えることを特徴とする配信装置。
【請求項２】
前記受信手段によって音声情報が受信された場合に、前記音声情報に基づいて前記端末装置を利用する利用者を、前記コンテンツを視聴する視聴者として判定する判定手段
をさらに備えることを特徴とする請求項１に記載の配信装置。
【請求項３】
前記抽出手段は、
前記判定手段によって判定された視聴者の数が多いほど出稿料金の高い関連コンテンツを優先して抽出する
ことを特徴とする請求項１又は２に記載の配信装置。
【請求項４】
コンテンツを表示する表示装置から出力された音声を収音する収音手段と、
前記収音手段によって収音された音声を識別する音声情報を生成する生成手段と、
前記生成手段によって生成された音声情報を配信装置に送信する送信手段と、
前記音声情報を受信した配信装置から配信される前記コンテンツに関連する関連コンテンツを表示する表示手段と
を備えることを特徴とする端末装置。
【請求項５】
前記収音手段によって音声が収音された場合に、収音された音声を他の端末装置に伝播する伝播手段
をさらに備えることを特徴とする請求項４に記載の端末装置。
【請求項６】
表示装置と配信装置とを含む配信システムであって、
前記表示装置が、
前記表示装置に対応付けられた音声を出力する出力手段を備え、
前記配信装置が、
コンテンツを表示する表示装置から発信した音声を収音した端末装置から、当該音声を識別する音声情報を受信する受信手段と、
前記受信手段によって受信された音声情報に基づいて、前記コンテンツに関連する関連コンテンツを抽出する抽出手段と、
前記抽出手段によって抽出された関連コンテンツを前記端末装置に配信する配信手段と
を備えることを特徴とする配信システム。
【請求項７】
前記表示装置が、
騒音を収音する収音手段と、
前記収音手段によって収音された騒音が大きいほど音声の出力を大きくする調整手段
をさらに備えることを特徴とする請求項６に記載の配信システム。
【請求項８】
前記調整手段が、
表示するコンテンツの出稿料金が高いほど音声の出力を大きくする
ことを特徴とする請求項７に記載の配信システム。
【請求項９】
表示装置と配信装置とを含む配信システムが実行する配信方法であって、
前記表示装置が、
前記表示装置に対応付けられた音声を出力する出力工程を含み、
前記配信装置が、
コンテンツを表示する表示装置から発信した音声を収音した端末装置から、当該音声を識別する音声情報を受信する受信工程と、
前記受信工程によって受信された音声情報に基づいて、前記コンテンツに関連する関連コンテンツを抽出する抽出工程と、
前記抽出工程によって抽出された関連コンテンツを前記端末装置に配信する配信工程と
を含むことを特徴とする配信方法。
【請求項１０】
コンテンツを表示する表示装置から出力された音声を収音する収音手順と、
前記収音手順によって収音された音声を識別する音声情報を生成する生成手順と、
前記生成手順によって生成された音声情報を配信装置に送信する送信手順と、
前記送信手順によって音声情報が送信された配信装置から配信された関連コンテンツを表示する表示手順と
をコンピュータに実行させることを特徴とする送信プログラム。
【発明の詳細な説明】
【技術分野】
【０００１】
本発明は、配信装置、端末装置、配信システム、配信方法及び送信プログラムに関する。
【背景技術】
【０００２】
通信ネットワークを介して配信されるデジタルコンテンツを表示するデジタルサイネージと呼ばれる電子広告媒体が知られている。かかるデジタルサイネージによる販売促進は、マーケティング調査などによって有効な施策であることが知られており、例えば、駅構内や電車内などにデジタルサイネージが設置されている。
【０００３】
このようなデジタルサイネージに関する技術として、ユーザによって視認されている表示装置を特定する技術が知られている。具体的には、この技術では、コンテンツ配信サーバが、ユーザが撮影した画像を含む要求メッセージを受信し、受信した画像に最も類似する画像を検出することで、表示装置の前面にユーザが存在していることを特定する。
【先行技術文献】
【特許文献】
【０００４】
【特許文献１】特開２０１１−７６３３６号公報
【発明の概要】
【発明が解決しようとする課題】
【０００５】
しかしながら、上記の従来技術では、広告の効果を高めることができるとは限らなかった。具体的には、上記の技術では、ユーザが、画像を含む要求メッセージをコンテンツ配信サーバへ送信するので、ユーザによる操作がない場合には、ユーザによって視認されている表示装置を特定することができない。このため、表示装置を視認するユーザに応じて広告コンテンツを配信することができない場合がある。このようなことから、上記の従来技術では、広告の効果を高めることができるとは限らなかった。
【０００６】
本願は、上記に鑑みてなされたものであって、広告の効果を高めることができる配信装置、端末装置、配信システム、配信方法及び送信プログラムを提供することを目的とする。
【課題を解決するための手段】
【０００７】
本願に係る配信装置は、コンテンツを表示する表示装置から発信した音声を収音した端末装置から、当該音声を識別する音声情報を受信する受信手段と、前記受信手段によって受信された音声情報に基づいて、前記コンテンツに関連する関連コンテンツを抽出する抽出手段と、前記抽出手段によって抽出された関連コンテンツを前記端末装置に配信する配信手段とを備えたことを特徴とする。
【発明の効果】
【０００８】
実施形態の一態様によれば、広告の効果を高めることができるという効果を奏する。
【図面の簡単な説明】
【０００９】
【図１】図１は、第１の実施形態に係る配信システムによる配信処理の一例を示す説明図である。
【図２】図２は、第１の実施形態に係る配信システムの構成例を示す図である。
【図３】図３は、第１の実施形態に係る表示装置の構成例を示す図である。
【図４】図４は、第１の実施形態に係る端末装置の構成例を示す図である。
【図５】図５は、第１の実施形態に係る配信装置の構成例を示す図である。
【図６】図６は、第１の実施形態に係る関連コンテンツ記憶部の一例を示す図である。
【図７】図７は、第１の実施形態に係る配信システムによる配信処理を示すシーケンスである。
【図８】図８は、第２の実施形態に係る配信装置の構成例を示す図である。
【図９】図９は、第２の実施形態に係る視聴者情報記憶部の一例を示す図である。
【図１０】図１０は、変形例に係る配信システムによる配信処理の一例を示す説明図である。
【図１１】図１１は、変形例に係る関連コンテンツ記憶部の一例を示す図である。
【図１２】図１２は、第３の実施形態に係る配信システムによる配信処理の一例を示す説明図である。
【図１３】図１３は、第３の実施形態に係る端末装置の構成例を示す図である。
【図１４】図１４は、第４の実施形態に係る表示装置の構成例を示す図である。
【図１５】図１５は、配信装置、端末装置、表示装置の機能を実現するコンピュータの一例を示すハードウェア構成図である。
【発明を実施するための形態】
【００１０】
以下に、本願に係る配信装置、端末装置、配信システム、配信方法及び送信プログラムを実施するための形態（以下、「実施形態」と呼ぶ）について図面を参照しつつ詳細に説明する。なお、この実施形態により本願に係る配信装置、端末装置、配信システム、配信方法及び送信プログラムが限定されるものではない。また、以下の各実施形態において同一の部位には同一の符号を付し、重複する説明は省略される。
【００１１】
（第１の実施形態）
〔１−１．配信処理〕
まず、図１を用いて、第１の実施形態に係る配信処理の一例について説明する。図１は、第１の実施形態に係る配信システムによる配信処理の一例を示す説明図である。図１の例では、配信装置１００によって端末装置２０にコンテンツを配信する配信処理が行われる。
【００１２】
表示装置１０は、例えば、デジタルサイネージ等の情報処理装置であって、広告コンテンツＣ１１を表示部１２（液晶ディスプレイ等）に表示する。また、表示装置１０は、表示装置１０に割り当てられた固有の音声であるＸ音１６をスピーカ１９から出力する。
【００１３】
端末装置２０は、表示装置１０から所定の範囲内に所在する場合に、表示装置１０から出力されたＸ音１６を収音し、収音した音声がＸ音１６であることを識別する音声情報を生成する。そして、端末装置２０は、生成した音声情報を配信装置１００に送信する。
【００１４】
配信装置１００は、表示装置１０が表示する広告コンテンツＣ１１に関連するコンテンツである関連コンテンツＲ１１を記憶する。なお、関連コンテンツＲ１１は、配信を依頼する広告主から入稿される。また、配信装置１００は、関連コンテンツＲ１１と音声データＸ音１６とを対応付けて記憶しているものとする。
【００１５】
この場合、配信装置１００は、端末装置２０から音声情報を受信した場合に、音声情報によって示されるＸ音１６に対応する関連コンテンツＲ１１を抽出し、抽出した関連コンテンツＲ１１を端末装置２０に配信する。そして、端末装置２０は、配信装置１００から配信された関連コンテンツＲ１１を表示する。
【００１６】
このように、第１の実施形態に係る配信装置１００は、受信した音声情報に基づいて関連コンテンツを抽出し、抽出した関連コンテンツを端末装置２０に配信するので、端末装置２０の近隣に所在する表示装置１０に気づいていない利用者に対して表示装置１０の所在を通知することができる。このため、配信装置１００は、表示装置１０に表示されている広告コンテンツの広告効果を高めることができる。
【００１７】
〔１−２．配信システムの構成〕
次に、図２を用いて、第１の実施形態に係る配信システムについて説明する。図２は、第１の実施形態に係る配信システムの構成例を示す図である。図２に示すように、配信システム１には、表示装置１０と、端末装置２０と、配信装置１００とが含まれる。表示装置１０、端末装置２０、配信装置１００は、それぞれネットワークＮと無線により通信可能に接続される。なお、図２では、配信システム１に、１台の表示装置１０と、１台の端末装置２０と、１台の配信装置１００とが含まれる例を示したが、配信システム１には、複数台の表示装置１０や、複数台の端末装置２０や、複数台の配信装置１００が含まれてもよい。
【００１８】
表示装置１０は、例えば、液晶ディスプレイ、プラズマディスプレイ、有機ＥＬディスプレイなどのディスプレイやプロジェクタ及びスピーカを有し、各種の情報を出力するデジタルサイネージ等の情報処理装置である。例えば、表示装置１０は、ネットワークＮと無線で接続され、広告コンテンツをディスプレイに表示するとともに、スピーカから音声を出力する。
【００１９】
端末装置２０は、例えば、スマートフォンや、タブレット型端末や、ノート型ＰＣや、携帯電話機、ＰＤＡ（Personal  Digital  Assistant）等の情報処理装置である。例えば、端末装置２０は、収音した音声を識別する音声情報を送信するアプリケーションである送信アプリを起動することで、表示装置１０から出力された音声を収音し、収音した音声に基づいて音声情報を生成し、生成した音声情報を配信装置１００に送信する。また、端末装置２０は、配信装置１００から配信される関連コンテンツを表示部（例えば、液晶ディスプレイ）に表示する。
【００２０】
配信装置１００は、コンテンツを端末装置２０に配信するサーバ装置である。上記の通り、配信装置１００は、端末装置２０から音声情報を受信した場合に、受信した音声情報に基づいて関連コンテンツを抽出し、抽出した関連コンテンツを端末装置２０に配信する。
【００２１】
〔１−３．表示装置の構成〕
次に、図３を用いて、第１の実施形態に係る表示装置１０の構成について説明する。図３は、第１の実施形態に係る表示装置１０の構成例を示す図である。図３に示すように、表示装置１０は、通信部１１と、表示部１２、音声出力部１３と、広告コンテンツ記憶部１４と、制御部１５とを有する。なお、表示装置１０は、表示装置１０を利用する管理者等から各種操作を受け付ける入力部（例えば、タッチパネル等）等を有してもよい。
【００２２】
（通信部１１について）
通信部１１は、例えば、ＮＩＣ（Network  Interface  Card）等によって実現される。かかる通信部１１は、ネットワークＮと無線又は有線で接続され、ネットワークＮを介して、端末装置２０や配信装置１００との間で情報の送受信を行う。
【００２３】
（表示部１２について）
表示部１２は、各種の情報を表示するための表示デバイスである。例えば、表示部１２は、液晶ディスプレイ等によって実現される。例えば、表示部１２は、後述の広告コンテンツ記憶部１４に記憶される広告コンテンツを表示する。
【００２４】
（音声出力部１３について）
音声出力部１３は、各種音声を出力するための出力デバイスである。例えば、音声出力部１３は、スピーカ等によって実現される。具体的には、音声出力部１３は、後述の音声再生部５１によって再生された音声を出力する。
【００２５】
（広告コンテンツ記憶部１４について）
広告コンテン記憶部１４は、例えば、ＲＡＭ（Random  Access  Memory)、フラッシュメモリ（Flash  Memory）等の半導体メモリ素子、または、ハードディスク、光ディスク等の記憶装置によって実現される。例えば、広告コンテンツ記憶部１４は、表示部１２に表示される静止画像の広告コンテンツを記憶する。なお、広告コンテンツは、静止画像に限らず、動画像、テキストデータ、画像及びテキストデータを組み合わせたファイルであってもかまわない。
【００２６】
（制御部１５について）
制御部１５は、例えば、ＣＰＵ（Central  Processing  Unit）やＭＰＵ（Micro  Processing  Unit）等によって、表示装置１０内部の記憶装置に記憶されている各種プログラムがＲＡＭを作業領域として実行されることにより実現される。また、制御部１５は、例えば、ＡＳＩＣ（Application  Specific  Integrated  Circuit）やＦＰＧＡ（Field  Programmable  Gate  Array）等の集積回路により実現される。
【００２７】
かかる制御部１５は、図３に示すように、表示制御部５０と、音声再生部５１とを有し、以下に説明する情報処理の機能や作用を実現または実行する。なお、制御部１５の内部構成は、図３に示した構成に限られず、後述する情報処理を行う構成であれば他の構成であってもよい。また、制御部１５が有する各処理部の接続関係は、図３に示した接続関係に限られず、他の接続関係であってもよい。
【００２８】
（表示制御部５０について）
表示制御部５０は、各種のコンテンツを表示部１２に表示させる。例えば、表示制御部５０は、広告コンテンツ記憶部１４に記憶されている広告コンテンツを表示部１２に表示させる。
【００２９】
（音声再生部５１について）
音声再生部５１は、表示装置１０を識別可能な音声を再生する。例えば、音声再生部５１は、表示部１２が広告コンテンツを表示するたびに、表示装置１０ごとに割り当てられた固有の音声を再生する。なお、音声再生部５１が再生する音声は、可聴音であってもよいし、非可聴音であってもよいし、連続音など音のパターンであってもよい。
【００３０】
〔１−４．端末装置の構成〕
次に、図４を用いて、第１の実施形態に係る端末装置２０の構成について説明する。図４は、第１の実施形態に係る端末装置２０の構成例を示す図である。図４に示すように、端末装置２０は、表示部２１と、入力部２２と、通信部２３と、収音部２４と、制御部２５とを有する。
【００３１】
（表示部２１、入力部２２について）
表示部２１は、各種情報を表示するための表示デバイスである。例えば、表示部２１は、液晶ディスプレイ等によって実現される。入力部２２は、ユーザから各種操作を受け付ける入力デバイスである。なお、第１の実施形態に係る端末装置２０にはタッチパネルが採用されているので、表示部２１と入力部２２とは一体化される。
【００３２】
（通信部２３について）
通信部２３は、ネットワークＮに接続され、ネットワークＮを介して、配信装置１００との間で情報の送受信を行う。かかる通信部２３は、ネットワークＮとの接続を無線又は有線で行う。
【００３３】
（収音部２４について）
収音部２４は、各種の音声を収音するための収音デバイスである。例えば、収音部２４は、マイク等によって実現される。具体的には、収音部２４は、表示装置１０から所定の範囲内に端末装置２０が所在する場合に、表示装置１０から出力された音声を収音する。
【００３４】
（制御部２５について）
制御部２５は、例えば、ＣＰＵやＭＰＵ等によって、端末装置２０内部の記憶装置に記憶されている各種プログラムがＲＡＭを作業領域として実行されることにより実現される。また、制御部２５は、例えば、ＡＳＩＣやＦＰＧＡ等の集積回路により実現される。
【００３５】
かかる制御部２５は、図４に示すように、送信アプリ制御部６０を有する。送信アプリ制御部６０は、収音した音声から音声情報を生成し、生成した音声情報を配信装置１００に送信する送信アプリケーションを実行制御する。
【００３６】
なお、制御部２５は、図４に示した送信アプリ制御部６０に限られず、端末装置２０にインストールされているアプリケーション毎に、かかるアプリケーションを実行制御するアプリ制御部を有する。例えば、制御部２５は、天気予報サイトにアクセスするアプリケーションを実行制御するアプリ制御部や、オークションサイトにアクセスするアプリケーションを実行制御するアプリ制御部などを有してもよい。
【００３７】
また、送信アプリケーションは、予め端末装置２０にインストールされていてもよいし、ユーザ操作に従ってサーバ装置（例えば、各種アプリケーションを提供するサーバ装置）からダウンロードされることで端末装置２０にインストールされてもよい。かかる送信アプリ制御部６０は、図４に示すように、生成部６１と、送信部６２とを有し、以下に説明する情報処理の機能や作用を実現または実行する。なお、送信アプリ制御部６０の内部構成は、図４に示した構成に限られず、後述する情報処理を行う構成であれば他の構成であってもよい。
【００３８】
（生成部６１について）
生成部６１は、収音部２４によって音声が収音された場合に、収音された音声に基づいて音声情報を生成する。なお、生成部６１によって生成される音声情報には、収音した音声を出力した表示装置を識別可能な情報が含まれる。そして、生成部６１は、生成した音声情報を送信部６２に出力する。
【００３９】
（送信部６２について）
送信部６２は、生成部６１によって生成された音声情報を配信装置１００に送信する。
【００４０】
〔１−５．配信装置の構成〕
次に、図５を用いて、第１の実施形態に係る配信装置１００の構成について説明する。図５は、第１の実施形態に係る配信装置１００の構成例を示す図である。図５に示すように、配信装置１００は、通信部１１０と、記憶部１２０と、制御部１３０とを有する。なお、配信装置１００は、配信装置１００を利用する管理者等から各種操作を受け付ける入力部（例えば、キーボードやマウス等）や、各種情報を表示するための表示部（例えば、液晶ディスプレイ等）を有してもよい。
【００４１】
（通信部１１０について）
通信部１１０は、例えば、ＮＩＣ等によって実現される。かかる通信部１１０は、ネットワークＮと無線又は有線で接続され、ネットワークＮを介して、端末装置２０との間で情報の送受信を行う。
【００４２】
（記憶部１２０について）
記憶部１２０は、例えば、ＲＡＭ、フラッシュメモリ等の半導体メモリ素子、または、ハードディスク、光ディスク等の記憶装置によって実現される。かかる記憶部１２０は、関連コンテンツ記憶部１２１を有する。
【００４３】
（関連コンテンツ記憶部１２１について）
関連コンテンツ記憶部１２１は、表示装置１０に表示される広告コンテンツに関連する関連コンテンツに関する各種情報を記憶する。ここで、図６に、第１の実施形態に係る関連コンテンツ記憶部１２１の一例を示す。図６に示すように、関連コンテンツ記憶部１２１は、「サイネージＩＤ」、「音声データ」、「関連コンテンツ」といった項目を有する。
【００４４】
「サイネージＩＤ」は、表示装置１０を識別するための識別情報を示す。「音声データ」は、表示装置１０から出力される音声を示す。「関連コンテンツ」は、表示装置１０に表示される広告コンテンツに関連する関連コンテンツを示す。なお、図６では、「関連コンテンツ」に静止画像が格納される例を示したが、静止画像のファイルが格納されている場所を示すＵＲＬなどが記憶されてもよい。
【００４５】
すなわち、図６では、サイネージＩＤが「ＤＳ１１」である表示装置１０から出力される音声がＸ音であって、表示装置１０に表示される広告コンテンツの関連コンテンツＲ１１が「サイネージが近くにあるよみてね！」という文言と画像とが組み合わされたコンテンツである例を示している。
【００４６】
（制御部１３０について）
制御部１３０は、例えば、ＣＰＵやＭＰＵ等によって、配信装置１００内部の記憶装置に記憶されている各種プログラムがＲＡＭを作業領域として実行されることにより実現される。また、制御部１３０は、例えば、ＡＳＩＣやＦＰＧＡ等の集積回路により実現される。
【００４７】
かかる制御部１３０は、図５に示すように、受信部１３１と、抽出部１３２と、配信部１３３とを有し、以下に説明する情報処理の機能や作用を実現または実行する。なお、制御部１３０の内部構成は、図５に示した構成に限られず、後述する情報処理を行う構成であれば他の構成であってもよい。また、制御部１３０が有する各処理部の接続関係は、図５に示した接続関係に限られず、他の接続関係であってもよい。
【００４８】
（受信部１３１について）
受信部１３１は、端末装置２０から音声情報を受信する。具体的には、受信部１３１は、表示装置１０から出力された音声を収音した端末装置２０から、収音した音声を識別する音声情報を受信する。
【００４９】
（抽出部１３２について）
抽出部１３２は、受信部１３１によって音声情報が受信された場合に、音声情報に基づいて、関連コンテンツ記憶部１２１から関連コンテンツを抽出する。具体的には、第１の実施形態に係る抽出部１３２は、音声情報が受信された場合に、音声情報が示す音声に対応する関連コンテンツを抽出する。そして、抽出部１３２は、抽出した関連コンテンツを配信部１３３に出力する。
【００５０】
抽出部１３２による抽出処理の一例について、図６に示した関連コンテンツ記憶部１２１を用いながら説明する。例えば、受信部１３１によって、端末装置２０からＸ音を識別する音声情報が受信されたものとする。この場合、抽出部１３２は、関連コンテンツ記憶部１２１に記憶された関連コンテンツの中から、Ｘ音に対応する関連コンテンツＲ１１を抽出する。そして、抽出部１３２は、抽出した関連コンテンツＲ１１を配信部１３３に出力する。
【００５１】
（配信部１３３について）
配信部１３３は、関連コンテンツを端末装置２０に配信する。具体的には、配信部１３３は、受信部１３１によって受信された音声情報の送信元である端末装置２０に対して、抽出部１３２によって抽出された関連コンテンツを配信する。
【００５２】
〔１−６．配信処理手順〕
次に、図７を用いて、第１の実施形態に係る配信装置１００による処理の手順について説明する。図７は、第１の実施形態に係る配信装置１００による配信処理手順を示すシーケンスである。
【００５３】
図７に示すように、表示装置１０は、表示装置１０を識別可能な音声を出力する（ステップＳ１０１）。端末装置２０は、表示装置１０から所定の範囲内に所在する場合に、表示装置１０から出力された音声を収音する（ステップＳ１０２）。そして、端末装置２０は、収音した音声を識別する音声情報を生成する（ステップＳ１０３）。その後、端末装置２０は、生成した音声情報を配信装置１００に送信する（ステップＳ１０４）。
【００５４】
配信装置１００は、端末装置２０から音声情報を受信する（ステップＳ１０５）。そして、配信装置１００は、受信した音声情報が示す音声に対応する関連コンテンツを抽出する（ステップＳ１０６）。その後、配信装置１００は、ステップＳ１０６において抽出した関連コンテンツを音声情報の送信元である端末装置２０に配信する（ステップＳ１０７）。
【００５５】
これにより、端末装置２０は、ステップＳ１０７において配信された関連コンテンツを表示部２１に表示する（ステップＳ１０８）。
【００５６】
〔１−７．効果〕
上述してきたように、第１の実施形態に係る配信装置１００は、受信部１３１と、抽出部１３２と、配信部１３３とを有する。受信部１３１は、広告コンテンツ（コンテンツの一例に相当）を表示する表示装置から音声を収音した端末装置２０から、かかる音声を識別する音声情報を受信する。抽出部１３２は、受信部１３１によって受信された音声情報に基づいて、広告コンテンツに関連する関連コンテンツを抽出する。配信部１３３は、抽出部１３２によって抽出された関連コンテンツを端末装置２０に配信する。
【００５７】
これにより、第１の実施形態に係る配信装置１００は、端末装置２０の近隣に所在する表示装置１０に気づいていない利用者に対して表示装置１０の所在を通知することができるので、表示装置１０に表示されている広告コンテンツの広告効果を高めることができる。
【００５８】
（第２の実施形態）
上記第１の実施形態で説明した配信装置１００は、音声情報に基づいて関連コンテンツを抽出し、抽出した関連コンテンツを端末装置２０に配信する。第２の実施形態では、配信装置２００が、音声情報に基づいて表示装置１０を視聴する視聴者を判定する処理について説明する。なお、配信システムの構成は、図１に示した例と同様であるので、以下では説明を省略する。
【００５９】
〔２−１．配信装置の構成〕
まず、図８を用いて、第２の実施形態に係る配信装置２００の構成について説明する。図８は、第２の実施形態に係る配信装置２００の構成例を示す図である。図８に示すように、配信装置２００は、配信装置１００と比較して、視聴者情報記憶部２２２と、判定部２３４とをさらに有する。
【００６０】
（視聴者情報記憶部２２２について）
視聴者情報記憶部２２２は、視聴者に関する各種情報を記憶する。例えば、視聴者情報記憶部２２２は、表示装置ごとに、視聴者の数を記憶する。ここで、図９に、実施形態に係る視聴者情報記憶部２２２の一例を示す。図９に示すように、視聴者情報記憶部２２２は、「サイネージＩＤ」、「視聴者数」といった項目を有する。
【００６１】
「サイネージＩＤ」は、表示装置１０を識別するための識別情報を示す。「視聴者数」は、後述の判定部２３４によって表示装置１０の視聴者であると判定された利用者の数を示す。なお、図９では、１時間毎に、視聴者の数を累計した値が記憶される例を示したが、分毎に記憶されてもよいし、日付毎または月毎に記憶されてもよい。
【００６２】
すなわち、図９では、１０：００〜１１：００の１時間にサイネージＩＤが「ＤＳ１１」である表示装置１０を視聴した端末装置２０の利用者の数が５人である例を示している。
【００６３】
（判定部２３４について）
判定部２３４は、表示装置２０を視聴する視聴者を判定する。具体的には、判定部２３４は、音声情報に基づいて、音声情報の送信元である端末装置２０の利用者が表示装置２０の視聴者であるか否かを判定する。例えば、判定部２３４は、端末装置２０から送信される音声情報を受信した場合に、音声情報の送信元である端末装置２０の利用者を視聴者と判定する。
【００６４】
また、判定部２３４は、例えば、端末装置２０から送信される音声情報を所定の期間継続して受信した場合に、音声情報の送信元である端末装置２０の利用者を視聴者と判定してもよい。
【００６５】
他の例では、判定部２３４は、端末装置２０から送信される音声情報を所定の期間継続して受信し、音声情報の送信元である端末装置２０が表示装置１０に近づいた場合に、かかる端末装置２０の利用者を視聴者と判定してもよい。ここで、音声情報には、端末装置２０が収音した音声の音量が示されているものとする。この場合、判定部２３４は、受信した音声情報に示される音量が時間の経過とともに大きくなっている場合に、音声情報の送信元である端末装置２０の利用者を視聴者であると判定する。収音した音声の音量が時間の経過とともに大きくなるのは、端末装置２０の利用者が表示装置２０に表示されている広告コンテンツを見るために表示装置２０に近づいたと考えられるからである。一方、収音した音声の音量が時間の経過とともに小さくなる場合は、端末装置２０の利用者が表示装置２０に表示されている広告コンテンツを見ることなく離れていったと考えられるからである。
【００６６】
そして、判定部２３４は、端末装置２０の利用者を視聴者であると判定するたびに、視聴者情報記憶部２２２に記憶されている視聴者の数を更新する。
【００６７】
なお、判定部２３４による視聴者の判定は、端末装置２０に関連コンテンツを配信する前に行ってもよいし、端末装置２０に関連コンテンツを配信した後に行ってもよい。
【００６８】
このように、配信装置２００は、表示装置１０の視聴者を判定することができるので、表示装置１０に表示される広告コンテンツの広告効果を測定することができる。
【００６９】
また、配信装置２００は、音声情報に基づいて視聴者を判定するので、ＧＰＳ等の位置情報と比較して利用者の位置を高精度に特定することができ、広告コンテンツの広告効果を高精度で測定することが可能となる。
【００７０】
〔２−２．変形例〕
上述した実施形態に係る配信装置２００は、上記実施形態以外にも種々の異なる形態にて実施されてよい。そこで、以下では、上記の配信装置２００の他の実施形態について説明する。
【００７１】
〔２−２−１．関連コンテンツの配信〕
上記実施形態では、視聴者を判定する例を挙げて説明したが、上述してきた配信装置２００は、視聴者の数に基づいて関連コンテンツを配信することもできる。このとき、配信装置２００は、関連コンテンツが配信される度に広告主から支払われる料金である出稿料金が決められている場合には、視聴者の数が多いほど出稿料金が高い関連コンテンツを優先して抽出し、抽出した関連コンテンツを端末装置２０に配信してもよい。
【００７２】
この点について図１０及び図１１を用いて説明する。図１０は、変形例に係る配信システムによる配信処理の一例を示す説明図である。図１０の例では、サイネージＩＤが「ＤＳ１１」である表示装置ＤＳ１１及びサイネージＩＤが「ＤＳ１２」である表示装置ＤＳ１２が地下街に設置されているものとする。また、表示装置ＤＳ１１及び表示装置ＤＳ１２は、地下街のフロアマップを示すコンテンツＭ１１を表示部１２に表示する。なお、表示装置ＤＳ１１は、Ｘ音１６を出力する。表示装置ＤＳ１２は、Ｙ音１７を出力する。図１０では、表示装置ＤＳ１１には、Ｘ音１６を収音した端末装置２０１〜２０５を有する５人の視聴者がおり、表示装置ＤＳ１２には、Ｙ音１７を収音した端末装置２０６を有する１人の視聴者がいる例を示している。
【００７３】
図１１は、変形例に係る関連コンテンツ記憶部の一例を示す図である。図１１が示すように、関連コンテンツ記憶部１２１は、出稿料金が設定された関連コンテンツを複数個記憶する。図１１の例では、サイネージＩＤが「ＤＳ１１」である表示装置１０には、出稿料金が１００であるＡ店の割引情報を示す関連コンテンツＲ３１及び出稿料金が５０であるＢ店の割引情報を示す関連コンテンツＲ３２が対応付けられて記憶されている例を示している。また、サイネージＩＤが「ＤＳ１２」である表示装置１０には、出稿料金が１００である関連コンテンツＲ３１及び出稿料金が５０である関連コンテンツＲ３２が対応付けられて記憶されている例を示している。なお、各表示装置は、図１１の例に限らず、異なる関連コンテンツを記憶してもよい。
【００７４】
ここで、図１０が示すように、表示装置ＤＳ１１は、相対的に視聴者が多い。また、表示装置ＤＳ１２は、相対的に視聴者が少ない。この場合、配信装置２００は、出稿料金が相対的に高い関連コンテンツＲ３１を、視聴者が相対的に多い表示装置ＤＳ１１から出力されたＸ音１６を収音した端末装置２０１〜２０５に配信する。また、配信装置２００は、出稿料金が相対的に低い関連コンテンツＲ３２を、視聴者が相対的に少ない表示装置ＤＳ１２から出力されたＹ音１７を収音した端末装置２０６に配信する。
【００７５】
このように、配信装置２００は、関連コンテンツの出稿料金が高いほど視聴者の数が多い表示装置１０から出力された音声を収音した端末装置２０に配信するので、出稿料金が高い関連コンテンツほど多くの利用者に宣伝することができる。
【００７６】
〔２−２−２．広告コンテンツの表示〕
上記変形例では、配信装置２００が視聴者の数に基づいて関連コンテンツを配信する例を挙げて説明したが、表示装置１０が配信装置２００によって判定された視聴者の数に基づいて広告コンテンツを表示することもできる。例えば、表示装置１０は、広告コンテンツ毎に、広告コンテンツが表示部１２に表示される度に広告主から支払われる出稿料金を広告コンテンツ記憶部１４に記憶する。そして、表示装置１０は、配信装置２００によって判定された視聴者の数が多いほど出稿料金が高い広告コンテンツを表示部１２に表示する。
【００７７】
これにより、表示装置１０は、視聴者の数が多いほど出稿料金が高い広告コンテンツを表示するので、出稿料金が高い広告コンテンツほど多くの利用者に宣伝することができる。
【００７８】
〔２−３．効果〕
上述してきたように、第２の実施形態に係る配信装置２００は、判定部２３４をさらに有する。判定部２３４は、受信部１３１によって音声情報が受信された場合に、かかる音声情報に基づいて端末装置２０を利用する利用者を、広告コンテンツを視聴する視聴者として判定する。
【００７９】
これにより、第２の実施形態に係る配信装置２００は、表示装置１０の視聴者を判定することができるので、表示装置１０に表示される広告コンテンツの広告効果を測定することができる。
【００８０】
また、配信装置２００は、音声情報に基づいて視聴者を判定するので、ＧＰＳ等の位置情報と比較して利用者の位置を高精度に特定することができ、広告コンテンツの広告効果を高精度で測定することが可能となる。
【００８１】
また、第２の実施形態に係る配信装置２００において、抽出部１３２は、判定部２３４によって判定された視聴者の数が多いほど出稿料金が高い関連コンテンツを優先して抽出する。
【００８２】
これにより、第２の実施形態に係る配信装置２００は、関連コンテンツの出稿料金が高いほど視聴者の数が多い表示装置１０の近隣に所在する端末装置２０に配信することができるので、出稿料金が高い関連コンテンツほど多くの利用者に宣伝することができる。
【００８３】
また、第２の実施形態に係る表示装置１０において、表示装置１０は、配信装置２００によって判定された視聴者の数が多いほど出稿料金が高い広告コンテンツを表示部１２に表示する。
【００８４】
これにより、第２の実施形態に係る表示装置１０は、広告コンテンツの出稿料金が高いほど視聴者の数が多い表示装置１０に表示されるので、出稿料金が高い広告コンテンツほど多くの利用者に宣伝することができる。
【００８５】
（第３の実施形態）
上記第１の実施形態で説明した端末装置２０は、表示装置１０から音声を収音し、音声情報を送信する。第３の実施形態では、端末装置３０１が、収音した音声を他の端末装置３０２に伝播する処理について説明する。なお、端末装置３０１及び３０２は、それぞれ同様の機能を有するので、以下では、端末装置３０１及び３０２を区別する必要がない場合には、これらを総称して「端末装置３０」と表記する場合がある。また、配信システムの構成は、図１に示した例と同様であるので、以下では説明を省略する。
【００８６】
〔３−１．伝播処理〕
まず、図１２を用いて、第３の実施形態に係る伝播処理の一例について説明する。図１２は、第３の実施形態に係る端末装置３０による伝播処理の一例を示す説明図である。図１２の例では、端末装置３０１によって他の端末装置３０２に端末装置３０１が収音した音声を伝播する伝播処理が行われる。
【００８７】
表示装置１０は、広告コンテンツＣ１１を表示部１２に表示するとともに、表示装置１０に割り当てられた固有の音声であるＸ音１６をスピーカ１９から出力する。
【００８８】
端末装置３０１は、表示装置１０から所定の範囲内に所在する場合に、表示装置１０から出力されたＸ音１６を収音し、収音した音声であるＸ音１６を出力する。
【００８９】
端末装置３０２は、端末装置３０１から所定の範囲内に所在する場合に、端末装置３０１から出力されたＸ音１６を収音する。そして、端末装置３０２は、収音したＸ音１６を識別する音声情報を生成し、生成した音声情報を配信装置１００に送信する。
【００９０】
配信装置１００は、端末装置３０１及び端末装置３０２から音声情報を受信し、Ｘ音１６に対応する関連コンテンツを端末装置３０１及び端末装置３０２に配信する。
【００９１】
このように、第３の実施形態に係る端末装置３０１は、表示装置１０から音声を収音し、収音した音声を出力するので、表示装置１０から所定の範囲内に所在しない端末装置３０２も音声を収音することができる。この結果、配信装置１００は、表示装置１０から所定の範囲内に所在する端末装置３０１に限らず、端末装置３０１から所定の範囲内に所在する端末装置３０２に対しても関連コンテンツを配信することができるので、表示装置１０に表示されている広告コンテンツの広告効果を向上させることができる。
【００９２】
〔３−２．端末装置の構成〕
まず、図１３を用いて、第３の実施形態に係る端末装置３０の構成について説明する。図１３は、第３の実施形態に係る端末装置３０の構成例を示す図である。図１３に示すように、端末装置３０は、端末装置２０と比較して、音声出力部２６と、伝播部６３とをさらに有する。
【００９３】
（音声出力部２６について）
音声出力部２６は、各種音声を出力するための出力デバイスである。例えば、音声出力部２６は、スピーカ等によって実現される。具体的には、音声出力部２６は、伝播部６３によって再生された音声を出力する。
【００９４】
（伝播部６３について）
伝播部６３は、収音部２４によって収音された音声を他の端末装置３０２に伝播する処理を行う。具体的には、伝播部６３は、収音部２４によって収音された音声を音声出力部２６から出力することで他の端末装置３０２に伝播する。
【００９５】
〔３−３．効果〕
上述してきたように、第３の実施形態に係る端末装置３０１は、収音部２４と、生成部６１と、送信部６２と、音声出力部２６と、伝播部６３とを有する。収音部２４は、広告コンテンツを表示する表示装置１０から出力された音声を収音する。生成部６１は、収音部２４によって収音された音声を識別する音声情報を生成する。送信部６２は、生成部６１によって生成された音声情報を配信装置１００に送信する。音声出力部２６は、送信部６２によって音声情報が送信された配信装置１００から配信された関連コンテンツを出力する。伝播部６３は、収音部２４によって音声が収音された場合に、収音された音声を他の端末装置３０２に伝播する。
【００９６】
これにより、第３の実施形態に係る端末装置３０１は、表示装置１０から音声を収音し、収音した音声を出力するので、表示装置１０から所定の範囲内に所在しない端末装置３０２も音声を収音することができる。この結果、配信装置１００は、表示装置１０から所定の範囲内に所在する端末装置３０１に限らず、端末装置３０１から所定の範囲内に所在する端末装置３０２に対しても関連コンテンツを配信することができるので、表示装置１０に表示されている広告コンテンツの広告効果を向上させることができる。
【００９７】
（第４の実施形態）
上記第１の実施形態で説明した表示装置１０は、表示装置１０を識別可能な音声を出力する。第４の実施形態では、表示装置４０が、騒音に基づいて音声の出力を調整する処理について説明する。なお、配信システムの構成は、図１に示した例と同様であるので、以下では説明を省略する。
【００９８】
〔４−１．表示装置の構成〕
まず、図１４を用いて、第４の実施形態に係る表示装置４０の構成について説明する。図１４は、第４の実施形態に係る表示装置４０の構成例を示す図である。図１４に示すように、表示装置４０は、表示装置１０と比較して、収音部１８と、調整部５２とをさらに有する。
【００９９】
（収音部１８について）
収音部１８は、各種の音声を収音するための収音デバイスである。例えば、収音部１８は、マイク等によって実現される。具体的には、収音部１８は、表示装置４０が出力する音声の伝達を阻害する騒音を収音する。
【０１００】
（調整部５２について）
調整部５２は、収音部１８によって収音された騒音に基づいて、音声再生部５１によって再生された音声の出力を調整する。具体的には、調整部５２は、収音部１８によって収音された騒音が大きいほど音声出力部１３から出力する音声を大きくする。
【０１０１】
このように、第４の実施形態に係る表示装置４０は、収音された騒音に基づいて音声の出力を調整するので、表示装置４０の周辺で騒音が発生している場合でも、表示装置４０から出力される音声を端末装置２０に収音させることができる。この結果、配信装置１００は、騒音の影響を受けずに、関連コンテンツを端末装置２０に配信することができるので、表示装置４０に表示されている広告コンテンツの広告効果を向上させることができる。
【０１０２】
〔４−２．変形例〕
上述した実施形態に係る表示装置４０は、上記実施形態以外にも種々の異なる形態にて実施されてよい。そこで、以下では、上記の表示装置４０の他の実施形態について説明する。
【０１０３】
〔４−２−１．出稿料金に基づいて音声を調整〕
上記実施形態では、収音された騒音に基づいて音声の出力を調整する例を挙げて説明したが、上述してきた表示装置４０は、広告コンテンツの出稿料金に基づいて音声を調整してもよい。例えば、表示装置４０は、広告コンテンツ記憶部１４に記憶されている各種の広告コンテンツに出稿料金が決められている場合に、表示部１２に表示する広告コンテンツの出稿料金が高いほど出力する音声を大きくする。
【０１０４】
このように、表示装置４０は、広告コンテンツの出稿料金が高いほど出力する音声を大きくするので、より多くの端末装置２０に音声を収音させることができる。この結果、配信装置１００は、より多くの端末装置２０に関連コンテンツを配信することができるので、表示装置４０に表示されている広告コンテンツの広告効果を向上させることができる。
【０１０５】
〔４−３．効果〕
上述してきたように、第４の実施形態に係る表示装置４０は、収音部１８と、調整部５２とを有する。収音部１８は、騒音を収音する。調整部５２は、収音部１８によって収音された騒音が大きいほど音声の出力を大きくする。
【０１０６】
これにより、第４の実施形態に係る表示装置４０は、表示装置４０の周辺で騒音が発生している場合でも、表示装置４０から出力される音声を端末装置２０に収音させることができる。この結果、配信装置１００は、騒音の影響を受けずに、関連コンテンツを端末装置２０に配信することができるので、表示装置４０に表示されている広告コンテンツの広告効果を向上させることができる。
【０１０７】
また、第４の実施形態に係る表示装置４０において、調整部５２は、表示部１２に表示する広告コンテンツの出稿料金が高いほど音声の出力を大きくする。
【０１０８】
これにより、第４の実施形態に係る表示装置４０は、広告コンテンツの出稿料金が高いほど多くの端末装置２０に音声を収音させることができる。この結果、配信装置１００は、広告コンテンツの出稿料金が高いほど多くの端末装置２０に関連コンテンツを配信することができるので、表示装置４０に表示されている広告コンテンツの広告効果を向上させることができる。
【０１０９】
〔５．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。
【０１１０】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１１１】
例えば、図５に示した関連コンテンツ記憶部１２１は、配信装置１００が保持せずに、ストレージサーバ等に保持されてもよい。この場合、配信装置１００は、ストレージサーバにアクセスすることで、関連コンテンツを取得する。
【０１１２】
また、例えば、上述してきた配信装置１００は、表示装置１０に広告コンテンツを配信する装置と一体となって構成されてもよい。また、配信装置１００は、関連コンテンツの配信処理は行わず、抽出部１３２による抽出処理のみを行う抽出装置であってもよい。この場合、抽出装置は、少なくとも配信部１３３を有しない。そして、配信部１３３を有する配信装置が、広告抽出装置によって抽出された関連コンテンツを端末装置２０等に配信する。
【０１１３】
なお、上記第１の実施形態における配信装置１００、第２の実施形態における配信装置２００、第３の実施形態における端末装置３０、第４の実施形態における表示装置４０は、例えば図１５に示すような構成のコンピュータ７０によって実現される。図１５は、配信装置１００、配信装置２００、端末装置３０及び表示装置４０の機能を実現するコンピュータ７０の一例を示すハードウェア構成図である。コンピュータ７０は、ＣＰＵ７１、ＲＡＭ７２、ＲＯＭ（Read  Only  Memory）７３、ＨＤＤ（Hard  Disk  Drive）７４、通信インターフェイス（Ｉ／Ｆ）７５、入出力インターフェイス（Ｉ／Ｆ）７６、およびメディアインターフェイス（Ｉ／Ｆ）７７を備える。
【０１１４】
ＣＰＵ７１は、ＲＯＭ７３またはＨＤＤ７４に格納されたプログラムに基づいて動作し、各部の制御を行う。ＲＯＭ７３は、コンピュータ７０の起動時にＣＰＵ７１によって実行されるブートプログラムや、コンピュータ７０のハードウェアに依存するプログラム等を格納する。
【０１１５】
ＨＤＤ７４は、ＣＰＵ７１によって実行されるプログラムおよび当該プログラムによって使用されるデータ等を格納する。通信インターフェイス７５は、通信回線Ｎを介して他の機器からデータを受信してＣＰＵ７１へ送り、ＣＰＵ７１が生成したデータを、通信回線Ｎを介して他の機器へ送信する。
【０１１６】
ＣＰＵ７１は、入出力インターフェイス７６を介して、ディスプレイやプリンタ等の出力装置、および、キーボードやマウス等の入力装置を制御する。ＣＰＵ７１は、入出力インターフェイス７６を介して、入力装置からデータを取得する。また、ＣＰＵ７１は、生成したデータを、入出力インターフェイス７６を介して出力装置へ出力する。
【０１１７】
メディアインターフェイス７７は、記録媒体７８に格納されたプログラムまたはデータを読み取り、ＲＡＭ７２を介してＣＰＵ７１に提供する。ＣＰＵ７１は、当該プログラムを、メディアインターフェイス７７を介して記録媒体７８からＲＡＭ７２上にロードし、ロードしたプログラムを実行する。記録媒体７８は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１１８】
コンピュータ７０が第１の実施形態における配信装置１００として機能する場合、コンピュータ７０のＣＰＵ７１は、ＲＡＭ７２上にロードされたプログラムを実行することにより、受信部１３１、抽出部１３２及び配信部１３３の各機能を実現する。また、ＨＤＤ７４には、関連コンテンツ記憶部１２１内のデータが格納される。
【０１１９】
コンピュータ７０が第２の実施形態における配信装置２００として機能する場合、コンピュータ７０のＣＰＵ７１は、ＲＡＭ７２上にロードされたプログラムを実行することにより、受信部１３１、抽出部１３２、配信部１３３及び判定部２３４の各機能を実現する。また、ＨＤＤ７４には、関連コンテンツ記憶部１２１および視聴者情報記憶部２２２内のデータが格納される。
【０１２０】
コンピュータ７０が第３の実施形態における端末装置３０として機能する場合、コンピュータ７０のＣＰＵ７１は、ＲＡＭ７２上にロードされたプログラムを実行することにより、生成部６１、送信部６２及び伝播部６３の各機能を実現する。
【０１２１】
コンピュータ７０が第４の実施形態における表示装置４０として機能する場合、コンピュータ７０のＣＰＵ７１は、ＲＡＭ７２上にロードされたプログラムを実行することにより、音声再生部５１及び調整部５２の各機能を実現する。また、ＨＤＤ７４には、広告コンテンツ記憶部１４内のデータが格納される。
【０１２２】
コンピュータ７０のＣＰＵ７１は、これらのプログラムを、記録媒体７８から読み取って実行するが、他の例として、他の装置から、通信回線Ｎを介してこれらのプログラムを取得してもよい。
【０１２３】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１２４】
また、上述した配信装置１００は、複数のサーバコンピュータで実現してもよく、また、機能によっては外部のプラットフォーム等をＡＰＩ（Application  Programming  Interface）やネットワークコンピューティングなどで呼び出して実現するなど、構成は柔軟に変更できる。
【０１２５】
また、特許請求の範囲に記載した「手段」は、「部（section、module、unit）」や「回路」などに読み替えることができる。例えば、抽出手段は、抽出部や抽出回路に読み替えることができる。
【符号の説明】
【０１２６】
１  配信システム
１０  表示装置
２０  端末装置
１００  配信装置
１２１  関連コンテンツ記憶部
１３１  受信部
１３２  抽出部
１３３  配信部
【図１】
2015005069.tif 000003
【図２】
2015005069.tif 000004
【図３】
2015005069.tif 000005
【図４】
2015005069.tif 000006
【図５】
2015005069.tif 000007
【図６】
2015005069.tif 000008
【図７】
2015005069.tif 000009
【図８】
2015005069.tif 000010
【図９】
2015005069.tif 000011
【図１０】
2015005069.tif 000012
【図１１】
2015005069.tif 000013
【図１２】
2015005069.tif 000014
【図１３】
2015005069.tif 000015
【図１４】
2015005069.tif 000016
【図１５】
2015005069.tif 000017